(57)【要約】【課題】光軸に対する光学部材の傾き調整の作業性の向上を図ること。【解決手段】前鏡筒１０１および後鏡筒１０２内において光軸方向に移動可能に設けられた複数のレンズ１１２、１２０を含む光学系を構成するレンズ鏡筒１００において、光軸方向に延在するガイド用のポール１１４、１２２と、各ポール１１４、１２２の一端部を光軸を中心とする円の半径方向に移動可能に支持する１群レンズ保持枠１０９およびマウント１１７と、光軸方向における位置が固定された状態で光軸を中心として回動可能に設けられた３群レンズ保持枠１０６と、を備え、３群レンズ保持枠１０６に各ポール１１４、１２２の一端部が挿入され、光軸に対する角度位置に応じて、当該光軸を中心とする円の半径方向における寸法が異なる形状としたカム溝１１６を設けた。【選択図】図１
2010282150.tif 000002
【特許請求の範囲】
【請求項１】
鏡筒内において光軸方向に移動可能に設けられた複数の光学部材を含む光学系を構成する光学装置であって、
光軸方向に延在し、前記複数の光学部材のうちの第１の光学部材の移動位置をガイドする第１のガイド部材と、
前記第１のガイド部材の一端部を光軸を中心とする円の半径方向に移動可能に支持する第１の支持手段と、
光軸方向に延在し、前記複数の光学部材のうちの第２の光学部材の移動位置をガイドする第２のガイド部材と、
前記第２のガイド部材の一端部を光軸を中心とする円の半径方向に移動可能に支持する第２の支持手段と、
前記鏡筒内において光軸方向における位置が固定されるとともに光軸を中心として回動可能に設けられ、前記第１のガイド部材の一端部が挿入される第１のカム溝と前記第２のガイド部材の一端部が挿入される第２のカム溝とが設けられた調整部材と、
を備え、
前記カム溝は、前記光軸に対する角度位置に応じて、当該光軸を中心とする円の半径方向における寸法が異なる形状を含むことを特徴とする光学装置。
【請求項２】
前記調整部材は、光軸方向において前記第１の光学部材と前記第２の光学部材との間に設けられ、前記光学系を構成する光学部材であることを特徴とする請求項１に記載の光学装置。
【請求項３】
前記第１の支持手段は、前記ガイド部材の他端部を支持する第１の固定部材と、前記第１のガイド部材の一端部の光軸を中心とする円の半径方向に交差する方向における位置を規制する第１の縦溝が設けられた第１の鏡筒部と、を備え、
前記第２の支持手段は、前記第２のガイド部材の他端部を支持する第２の固定部と、前記第２のガイド部材の一端部の光軸を中心とする円の半径方向に交差する方向における位置を規制する第２の縦溝が設けられた第２の鏡筒部と、を備えることを特徴とする請求項１または２に記載の光学装置。
【請求項４】
前記第１のガイド部材は、複数設けられ、
前記第１の支持手段は、複数の前記第１のガイド部材が、それぞれ、光軸を中心とする円における半径方向のうち、任意の半径方向と当該任意の半径方向に交差する別の半径方向とに移動可能となるように前記第１のガイド部材を支持することを特徴とする請求項１〜３のいずれか一つに記載の光学装置。
【請求項５】
前記第２のガイド部材は、複数設けられ、
前記第２の支持手段は、複数の前記第２のガイド部材が、それぞれ、光軸を中心とする円における半径方向のうち、任意の半径方向と当該任意の半径方向に交差する別の半径方向とに移動可能となるように前記第２のガイド部材を支持することを特徴とする請求項１〜３のいずれか一つに記載の光学装置。
【請求項６】
請求項１〜５のいずれか一つに記載の光学装置と、
前記光学装置を通過した外光が入射する撮像素子と、
を備えたことを特徴とする撮像装置。
【発明の詳細な説明】
【技術分野】
【０００１】
この発明は、光軸に対する光学部材の倒れ調整を実施可能とする光学装置および当該光学装置を備えた撮像装置に関する。
【背景技術】
【０００２】
従来、たとえば撮像装置などに用いられるレンズ鏡筒においては、当該レンズ鏡筒が備えるレンズなどの光学部材の光軸方向における移動位置をガイドするガイドポールを備え、当該ガイドポールの一端を軸受け部材によって受けている構成のものがあった。このようなレンズ鏡筒においては、軸受け部材の鏡筒への取り付け軸と軸受け部材のガイドポールへの取り付け軸とを偏芯させることで、ガイドポールを倒すことが可能となり、レンズの倒れ調整を実現可能としているものがあった。
【０００３】
具体的には、従来、たとえば鏡筒内でレンズを保持するレンズ枠と、鏡筒内で前記レンズの光軸に平行して直線状に延在しレンズ枠に連結されてレンズ枠を光軸に沿って案内するガイド軸（ガイドポール）と、鏡筒内でガイド軸の延在方向の両端を支持する支持手段とを備えるレンズ鏡筒であって、ガイド軸の両端のうちの少なくとも一端を支持する支持手段は、鏡筒に設けられた孔部と、鏡筒の外部から孔部に装脱可能かつ孔部の中心軸線の回りに回転可能に装着される軸受け部材とを有し、軸受け部材は、孔部に装着される軸部と、軸部に設けられガイド軸の一端が挿入される軸受け孔とを有し、軸部の中心軸線に対して軸受け孔の中心軸線が偏心している構成としたレンズ鏡筒があった（たとえば、下記特許文献１を参照）。
【０００４】
また、具体的には、従来、たとえば撮影レンズの一部を保持するレンズ枠と、該レンズ枠を光軸方向に移動させるための駆動手段と、レンズ枠を移動自在に保持するガイド部材とを有し、該ガイド部材の像面側の端部を固定に保持すると共に、被写体側の端部は光軸と略直角方向に移動可能な調整部材により保持し、該調整部材を移動して光学調整をおこない、ガイド部材を光軸に対し傾けて固定可能とした技術があった（たとえば、下記特許文献２を参照）。
【先行技術文献】
【特許文献】
【０００５】
【特許文献１】特開２００６−２２７１７０号公報
【特許文献２】特開２００８−１０７５３３号公報
【発明の概要】
【発明が解決しようとする課題】
【０００６】
しかしながら、上述した従来の技術では、レンズの傾き調整に関して、偏芯量が異なる複数の軸受け部材を用意する必要があり、その都度組み替えが必要となるため、レンズの傾き調整の作業性が悪いという問題があった。
【０００７】
この発明は、上述した従来技術による問題点を解消するため、光軸に対する光学部材の傾き調整の作業性の向上を図ることができる光学装置および撮像装置を提供することを目的とする。
【課題を解決するための手段】
【０００８】
上述した課題を解決し、目的を達成するため、この発明にかかる光学装置は、鏡筒内において光軸方向に移動可能に設けられた複数の光学部材を含む光学系を構成する光学装置であって、光軸方向に延在し、前記複数の光学部材のうちの第１の光学部材の移動位置をガイドする第１のガイド部材と、前記第１のガイド部材の一端部を光軸を中心とする円の半径方向に移動可能に支持する第１の支持手段と、光軸方向に延在し、前記複数の光学部材のうちの第２の光学部材の移動位置をガイドする第２のガイド部材と、前記第２のガイド部材の一端部を光軸を中心とする円の半径方向に移動可能に支持する第２の支持手段と、前記鏡筒内において光軸方向における位置が固定されるとともに光軸を中心として回動可能に設けられ、前記第１のガイド部材の一端部が挿入される第１のカム溝と前記第２のガイド部材の一端部が挿入される第２のカム溝とが設けられた調整部材と、を備え、前記カム溝が、前記光軸に対する角度位置に応じて、当該光軸を中心とする円の半径方向における寸法が異なる形状を含むことを特徴とする。
【０００９】
また、この発明にかかる光学装置は、上記の発明において、前記調整部材が、光軸方向において前記第１の光学部材と前記第２の光学部材との間に設けられ、前記光学系を構成する光学部材であることを特徴とする。
【００１０】
また、この発明にかかる光学装置は、上記の発明において、前記第１の支持手段が、前記ガイド部材の他端部を支持する第１の固定部材と、前記第１のガイド部材の一端部の光軸を中心とする円の半径方向に交差する方向における位置を規制する第１の縦溝が設けられた第１の鏡筒部と、を備え、前記第２の支持手段が、前記第２のガイド部材の他端部を支持する第２の固定部と、前記第２のガイド部材の一端部の光軸を中心とする円の半径方向に交差する方向における位置を規制する第２の縦溝が設けられた第２の鏡筒部と、を備えることを特徴とする。
【００１１】
また、この発明にかかる光学装置は、上記の発明において、前記第１のガイド部材が、複数設けられ、前記第１の支持手段が、複数の前記第１のガイド部材が、それぞれ、光軸を中心とする円における半径方向のうち、任意の半径方向と当該任意の半径方向に交差する別の半径方向とに移動可能となるように前記第１のガイド部材を支持することを特徴とする。
【００１２】
また、この発明にかかる光学装置は、上記の発明において、前記第２のガイド部材が、複数設けられ、前記第２の支持手段が、複数の前記第２のガイド部材が、それぞれ、光軸を中心とする円における半径方向のうち、任意の半径方向と当該任意の半径方向に交差する別の半径方向とに移動可能となるように前記第２のガイド部材を支持することを特徴とする。
【００１３】
また、この発明にかかる撮像装置は、上記の光学装置と、前記光学装置を通過した外光が入射する撮像素子と、を備えたことを特徴とする。
【００１４】
この発明によれば、光軸を中心として調整部材を回動させることによって、光学装置における第１のガイド部材および第２のガイド部材を光軸と交差する方向に同時またはそれぞれ独立に倒すことができるので、第１の光学部材および第２の光学部材の光軸に対する傾き調整を同時またはそれぞれ独立におこなうことができる。
【発明の効果】
【００１５】
この発明にかかる光学装置および撮像装置によれば、第１の光学部材および第２の光学部材の光軸に対する傾き調整を同時またはそれぞれ独立におこなうことができるので、同時におこなうか、あるいは、それぞれ独立におこなうかを適宜選択することにより、光学装置における光軸に対する第１の光学部材および第２の光学部材の傾き調整の作業性の向上を図ることができるという効果を奏する。
【図面の簡単な説明】
【００１６】
【図１】この発明にかかる実施の形態のレンズ鏡筒の構成を示す説明図（その１）である。
【図２】この発明にかかる実施の形態のレンズ鏡筒の構成を示す説明図（その２）である。
【図３】この発明にかかる実施の形態のレンズ鏡筒の一部を示す説明図（その１）である。
【図４】この発明にかかる実施の形態のレンズ鏡筒の一部を示す説明図（その２）である。
【図５】この発明にかかる実施の形態のレンズ鏡筒におけるレンズの倒れ調整方法を示す説明図（その１）である。
【図６】この発明にかかる実施の形態のレンズ鏡筒におけるレンズの倒れ調整方法を示す説明図（その２）である。
【図７】この発明にかかる実施の形態のレンズ鏡筒におけるレンズの倒れ調整方法を示す説明図（その３）である。
【図８】この発明にかかる実施の形態のレンズ鏡筒におけるレンズの倒れ調整方法を示す説明図（その４）である。
【図９】この発明にかかる実施の形態のレンズ鏡筒におけるレンズの倒れ調整方法を示す説明図（その５）である。
【図１０】この発明にかかる実施の形態のレンズ鏡筒におけるレンズの倒れ調整方法を示す説明図（その６）である。
【図１１】この発明にかかる実施の形態のレンズ鏡筒におけるレンズの倒れ調整方法を示す説明図（その７）である。
【図１２】この発明にかかる実施の形態のレンズ鏡筒におけるレンズの倒れ調整方法を示す説明図（その８）である。
【図１３】この発明にかかる実施の形態のレンズ鏡筒におけるレンズの倒れ調整方法を示す説明図（その９）である。
【図１４】この発明にかかる実施の形態のレンズ鏡筒におけるレンズの倒れ調整方法を示す説明図（その１０）である。
【図１５】この発明にかかる実施の形態のレンズ鏡筒の変形例を示す説明図である。
【図１６】この発明にかかる実施の形態のレンズ鏡筒の別の変形例を示す説明図（その１）である。
【図１７】この発明にかかる実施の形態のレンズ鏡筒の別の変形例を示す説明図（その２）である。
【図１８】この発明にかかる実施の形態のレンズ鏡筒の別の変形例を示す説明図（その３）である。
【図１９】倒れ調整を二軸でおこなうように構成されたレンズ鏡筒の比較例を示す説明図である。
【発明を実施するための形態】
【００１７】
以下に添付図面を参照して、この発明にかかる光学装置および撮像装置の好適な実施の形態を詳細に説明する。
【００１８】
まず、この発明にかかる実施の形態のレンズ鏡筒の構成について説明する。図１および図２は、この発明にかかる実施の形態のレンズ鏡筒の構成を示す説明図である。図１および図２において、この発明にかかる実施の形態のレンズ鏡筒１００は、前鏡筒１０１および後鏡筒１０２を備えている。この実施の形態においては、レンズ鏡筒１００によって光学装置を実現することができ、前鏡筒１０１および後鏡筒１０２によって鏡筒を実現することができる。
【００１９】
前鏡筒１０１および後鏡筒１０２は、それぞれ、光軸方向に貫通する略円筒形状をなしている。前鏡筒１０１および後鏡筒１０２は、光軸方向において、後鏡筒１０２に設けられた貫通穴１０２ａを貫通して、前鏡筒１０１に設けられたネジ穴１０３に螺合されるネジ１０４によって固定されている。
【００２０】
光軸方向において、前鏡筒１０１は後鏡筒１０２よりも被写体側に設けられ、後鏡筒１０２は前鏡筒１０１よりも接眼側に設けられている。光軸方向において、前鏡筒１０１と後鏡筒１０２との間には、３群レンズ１０５を保持している３群レンズ保持枠１０６が設けられている。光軸方向において、前鏡筒１０１と３群レンズ保持枠１０６との間には、バネ１０７が設けられている。３群レンズ保持枠１０６は、光軸方向において、バネ１０７を用いて後鏡筒１０２側に片寄せされている。
【００２１】
光軸方向において、前鏡筒１０１よりも被写体側には、１群レンズ１０８が設けられている。１群レンズ１０８は、１群レンズ保持枠１０９に保持されている。１群レンズ保持枠１０９は、１群レンズ１０８における有効光路の外周側において当該１群レンズ１０８の外縁部分を保持する略環形状をなしている。
【００２２】
１群レンズ保持枠１０９は、前鏡筒１０１に固定されている。具体的には、１群レンズ保持枠１０９は、当該１群レンズ保持枠１０９を貫通して前鏡筒１０１に設けられたネジ穴１１０に螺合されるネジ１１１によって前鏡筒１０１に固定されている。あるいは、前鏡筒１０１は、１群レンズ保持枠１０９と一体化されていてもよい。
【００２３】
光軸方向において、１群レンズ１０８よりも接眼側には、２群レンズ１１２が設けられている。２群レンズ１１２は、光軸方向において、１群レンズ１０８と３群レンズ１０５との間に設けられている。２群レンズ１１２は、２群移動レンズ保持枠１１３に保持されている。２群移動レンズ保持枠１１３は、２群レンズ１１２における有効光路の外周側において当該２群レンズ１１２の外縁部分を保持する略環形状をなしている。この実施の形態においては、２群レンズ１１２および２群移動レンズ保持枠１１３によって第１の光学部材を実現することができる。
【００２４】
２群移動レンズ保持枠１１３は、２群のＸＹ位置決め兼倒れ調整用ポール１１４および２群の回転規制用ポール１１５によって位置決めされ、光軸方向に移動可能に設けられている。この実施の形態においては、２群のＸＹ位置決め兼倒れ調整用ポール１１４によって第１のガイド部材を実現することができる。
【００２５】
２群のＸＹ位置決め兼倒れ調整用ポール１１４は、１群レンズ保持枠１０９、前鏡筒１０１、３群レンズ保持枠１０６に係合している。２群の回転規制用ポール１１５は、１群レンズ保持枠１０９、前鏡筒１０１に係合している。
【００２６】
具体的には、２群のＸＹ位置決め兼倒れ調整用ポール１１４は、２群移動レンズ保持枠１１３を光軸方向に貫通し、被写体側の端部が１群レンズ保持枠１０９に固定され、接眼側の端部が３群レンズ保持枠１０６に設けられたカム溝１１６（１１６Ａ）に嵌め込まれている。また、具体的には、２群の回転規制用ポール１１５は、２群移動レンズ保持枠１１３を光軸方向に貫通し、被写体側の端部が１群レンズ保持枠１０９に固定され、接眼側の端部が前鏡筒１０１に固定されている。
【００２７】
光軸方向において、後鏡筒１０２よりも接眼側には、マウント１１７が設けられている。マウント１１７は、後鏡筒１０２に固定されている。具体的には、マウント１１７は、当該マウント１１７を貫通して後鏡筒１０２に設けられたネジ穴１１８に螺合されるネジ１１９によって後鏡筒１０２に固定されている。あるいは、後鏡筒１０２は、マウント１１７と一体化されていてもよい。
【００２８】
光軸方向において、マウント１１７よりも被写体側には、４群レンズ１２０が設けられている。４群レンズ１２０は、光軸方向において、マウント１１７と３群レンズ１０５との間に設けられている。４群レンズ１２０は、４群移動レンズ保持枠１２１に保持されている。４群移動レンズ保持枠１２１は、４群レンズ１２０における有効光路の外周側において当該４群レンズ１２０の外縁部分を保持する略環形状をなしている。この実施の形態においては、４群レンズ１２０および４群移動レンズ保持枠１２１によって第２の光学部材を実現することができる。
【００２９】
４群移動レンズ保持枠１２１は、４群のＸＹ位置決め兼倒れ調整用ポール１２２および４群の回転規制用ポール１２３によって位置決めされ、光軸方向に移動可能に設けられている。この実施の形態においては、４群のＸＹ位置決め兼倒れ調整用ポール１２２によって第２のガイド部材を実現することができる。４群のＸＹ位置決め兼倒れ調整用ポール１２２は、３群レンズ保持枠１０６、後鏡筒１０２、マウント１１７に係合している。４群の回転規制用ポール１２３は、後鏡筒１０２、マウント１１７に係合している。
【００３０】
具体的には、４群のＸＹ位置決め兼倒れ調整用ポール１２２は、４群移動レンズ保持枠１２１を光軸方向に貫通し、接眼側の端部がマウント１１７に固定され、被写体側の端部が３群レンズ保持枠１０６に設けられたカム溝１１６（１１６Ｂ）に嵌め込まれている。また、具体的には、４群の回転規制用ポール１２３は、４群移動レンズ保持枠１２１を光軸方向に貫通し、接眼側の端部がマウント１１７に固定され、被写体側の端部が後鏡筒１０２に固定されている。
【００３１】
３群レンズ保持枠１０６に設けられたカム溝１１６（１１６Ａ、１１６Ｂ）は、光軸方向に沿って３群レンズ保持枠１０６の表面から凹んだ凹部を、光軸を中心とする円の周方向に連続させた形状をなしている。カム溝１１６Ａは、３群レンズ保持枠１０６における被写体側の面から接眼側に凹むように設けられている。カム溝１１６Ｂは、３群レンズ保持枠１０６における接眼側の面から被写体側に凹むように設けられている。この実施の形態においては、３群レンズ保持枠１０６によって調整部材を実現することができる。
【００３２】
カム溝１１６（１１６Ａ、１１６Ｂ）は、光軸を中心とする円の周に完全に重なる形状ではなく、光軸を中心とする円の半径方向における寸法が異なるように、光軸を中心とする円の周に対して蛇行するような形状をなしている。カム溝１１６（１１６Ａ、１１６Ｂ）は、光軸に対する角度位置に応じて、当該光軸に対する距離が異なるような、連続した溝を形成している。
【００３３】
図３は、この発明にかかる実施の形態のレンズ鏡筒１００の一部を示す説明図である。図３においては、図２におけるＩ矢視状態を示している。図３において、２群のＸＹ位置決め兼倒れ調整用ポール１１４は、１群レンズ保持枠１０９と係合し、前鏡筒１０１に設けた縦溝１７０２（第１の縦溝）により光軸を中心とした回転方向の位置決めがなされている。また、２群のＸＹ位置決め兼倒れ調整用ポール１１４は、３群レンズ保持枠１０６に設けたカム溝１１６により光軸と直交方向の位置決めがなされている。
【００３４】
この実施の形態においては、２群のＸＹ位置決め兼倒れ調整用ポール１１４の他端部を支持するレンズ保持枠（第１の固定部材）１０９と、２群のＸＹ位置決め兼倒れ調整用ポール１１４の一端部の所定方向に交差する方向における位置を規制する縦溝と、によって第１の支持手段を実現することができる。また、この実施の形態においては、第１の支持手段を実現する縦溝１７０２（第１の縦溝）が設けられた前鏡筒１０１によって第１の鏡筒部を実現することができる。
【００３５】
２群のＸＹ位置決め兼倒れ調整用ポール１１４は、光軸を中心として３群レンズ保持枠１０６を回転させることによって、１群レンズ保持枠１０９との係合部を支点にして、光軸と直交する方向の倒れが生じる。２群移動レンズ保持枠１１３は、２群のＸＹ位置決め兼倒れ調整用ポール１１４と係合しているため、２群のＸＹ位置決め兼倒れ調整用ポール１１４に光軸と直交する方向に倒れが生じることによって、２群のＸＹ位置決め兼倒れ調整用ポール１１４の倒れ方向と同一方向の倒れ、すなわち光軸と直交する方向に倒れを生じる。
【００３６】
図４は、この発明にかかる実施の形態のレンズ鏡筒１００の一部を示す説明図である。図４においては、図２におけるＩＩ矢視状態を示している。図４において、４群のＸＹ位置決め兼倒れ調整用ポール１２２は、マウント１１７と係合し、後鏡筒１０２に設けた縦溝１７２１（第２の縦溝）により光軸を中心とした回転方向の位置決めがなされている。また、４群のＸＹ位置決め兼倒れ調整用ポール１２２は、３群レンズ保持枠１０６に設けたカム溝１１６により光軸と直交方向の位置決めがなされている。
【００３７】
この実施の形態においては、４群のＸＹ位置決め兼倒れ調整用ポール１２２の他端部を支持するマウント（第２の固定部）１１７と、４群のＸＹ位置決め兼倒れ調整用ポール１２２の一端部の所定方向に交差する方向における位置を規制する縦溝と、によって第２の支持手段を実現することができる。また、この実施の形態においては、第２の支持手段を実現する縦溝１７２１（第２の縦溝）が設けられた後鏡筒１０２によって第２の鏡筒部を実現することができる。
【００３８】
４群のＸＹ位置決め兼倒れ調整用ポール１２２は、光軸を中心として３群レンズ保持枠１０６を回転させることによって、マウント１１７との係合部を支点にして、光軸と直交する方向の倒れが生じる。４群移動レンズ保持枠１２１は、４群のＸＹ位置決め兼倒れ調整用ポール１２２と係合しているため、４群のＸＹ位置決め兼倒れ調整用ポール１２２に光軸と直交する方向に倒れが生じることによって、４群のＸＹ位置決め兼倒れ調整用ポール１２２の倒れ方向と同一方向の倒れ、すなわち光軸と直交する方向に倒れを生じる。
【００３９】
つぎに、この発明にかかる実施の形態のレンズ鏡筒１００におけるレンズの倒れ調整方法について説明する。図５、図６、図７、図８、図９、図１０、図１１、図１２、図１３および図１４は、この発明にかかる実施の形態のレンズ鏡筒１００におけるレンズの倒れ調整方法を示す説明図である。
【００４０】
図５において、カム溝１１６（１１６Ａ、１１６Ｂ）は、Ａの範囲において、２群のＸＹ位置決め兼倒れ調整用ポール１１４および４群のＸＹ位置決め兼倒れ調整用ポール１２２との係合位置の、光軸からの距離が一定となるように設けられている。これにより、光軸を中心として３群レンズ保持枠１０６を回転させることによってカム溝１１６（１１６Ａ、１１６Ｂ）内を移動する、２群のＸＹ位置決め兼倒れ調整用ポール１１４および４群のＸＹ位置決め兼倒れ調整用ポール１２２がＡの範囲にある場合は、２群のＸＹ位置決め兼倒れ調整用ポール１１４および４群のＸＹ位置決め兼倒れ調整用ポール１２２には、光軸と直交する方向に対する倒れが生じない。
【００４１】
２群のＸＹ位置決め兼倒れ調整用ポール１１４および４群のＸＹ位置決め兼倒れ調整用ポール１２２が、光軸方向に対する倒れが生じないＡの範囲にある場合は、２群移動レンズ保持枠１１３および４群移動レンズ保持枠１２１においても光軸と直交する方向に対する倒れが生じない。この実施の形態においては、２群移動レンズ保持枠１１３および４群移動レンズ保持枠１２１に光軸と直交する方向に倒れが生じない範囲を基準の設定としている。
【００４２】
図６においては、２群のＸＹ位置決め兼倒れ調整用ポール１１４および４群のＸＹ位置決め兼倒れ調整用ポール１２２が、図５に示した位置すなわちＡの範囲にある場合のレンズ鏡筒１００を、光軸を通り当該光軸に平行な平面で切断した断面を示している。図６に示すように、２群のＸＹ位置決め兼倒れ調整用ポール１１４および４群のＸＹ位置決め兼倒れ調整用ポール１２２がＡの範囲にある場合は、２群移動レンズ保持枠１１３および４群移動レンズ保持枠１２１に光軸と直交する方向に倒れが生じない状態とされる。
【００４３】
図７において、カム溝１１６（１１６Ａ、１１６Ｂ）は、Ｂの範囲において、２群のＸＹ位置決め兼倒れ調整用ポール１１４との係合位置の光軸からの距離が変化し、４群のＸＹ位置決め兼倒れ調整用ポール１２２との係合位置の光軸からの距離が一定となるように設けられている。これにより、光軸を中心として３群レンズ保持枠１０６を回転させることによってカム溝１１６（１１６Ａ、１１６Ｂ）内を移動する、２群のＸＹ位置決め兼倒れ調整用ポール１１４および４群のＸＹ位置決め兼倒れ調整用ポール１２２がＢの範囲にある場合は、２群のＸＹ位置決め兼倒れ調整用ポール１１４は光軸と直交する方向に対する倒れが生じ、４群のＸＹ位置決め兼倒れ調整用ポール１２２には光軸と直交する方向に対する倒れが生じない。
【００４４】
２群のＸＹ位置決め兼倒れ調整用ポール１１４および４群のＸＹ位置決め兼倒れ調整用ポール１２２がＢの範囲にある場合は、２群移動レンズ保持枠１１３および４群移動レンズ保持枠１２１のうち、２群移動レンズ保持枠１１３に光軸と直交する方向に対する倒れが生じ、４群移動レンズ保持枠１２１には光軸と直交する方向に倒れが生じない。
【００４５】
図８においては、２群のＸＹ位置決め兼倒れ調整用ポール１１４および４群のＸＹ位置決め兼倒れ調整用ポール１２２が、図７に示した位置すなわちＢの範囲にある場合のレンズ鏡筒１００を、光軸を通り当該光軸に平行な平面で切断した断面を示している。図８に示すように、２群のＸＹ位置決め兼倒れ調整用ポール１１４および４群のＸＹ位置決め兼倒れ調整用ポール１２２がＢの範囲にある場合は、２群移動レンズ保持枠１１３に光軸と直交する方向に対する倒れが生じ（図８における矢印８０１を参照）、４群移動レンズ保持枠１２１には光軸と直交する方向に倒れが生じない状態とされる。
【００４６】
図９において、カム溝１１６（１１６Ａ、１１６Ｂ）は、Ｃの範囲において、２群のＸＹ位置決め兼倒れ調整用ポール１１４との係合位置の光軸からの距離が一定となり、４群のＸＹ位置決め兼倒れ調整用ポール１２２との係合位置の光軸からの距離が変化するように設けられている。これにより、光軸を中心として３群レンズ保持枠１０６を回転させることによってカム溝１１６（１１６Ａ、１１６Ｂ）内を移動する、２群のＸＹ位置決め兼倒れ調整用ポール１１４および４群のＸＹ位置決め兼倒れ調整用ポール１２２がＣの範囲にある場合は、２群のＸＹ位置決め兼倒れ調整用ポール１１４には光軸と直交する方向に対する倒れが生じず、４群のＸＹ位置決め兼倒れ調整用ポール１２２に光軸と直交する方向に対する倒れが生じる。
【００４７】
２群のＸＹ位置決め兼倒れ調整用ポール１１４および４群のＸＹ位置決め兼倒れ調整用ポール１２２がＣの範囲にある場合は、２群移動レンズ保持枠１１３および４群移動レンズ保持枠１２１のうち、２群移動レンズ保持枠１１３には光軸と直交する方向に対する倒れが生じず、４群移動レンズ保持枠１２１に光軸と直交する方向に対する倒れが生じる。
【００４８】
図１０においては、２群のＸＹ位置決め兼倒れ調整用ポール１１４および４群のＸＹ位置決め兼倒れ調整用ポール１２２が、図９に示した位置すなわちＣの範囲にある場合のレンズ鏡筒１００を、光軸を通り当該光軸に平行な平面で切断した断面を示している。図１０に示すように、２群のＸＹ位置決め兼倒れ調整用ポール１１４および４群のＸＹ位置決め兼倒れ調整用ポール１２２がＣの範囲にある場合は、２群移動レンズ保持枠１１３に光軸と直交する方向に対する倒れが生じず、４群移動レンズ保持枠１２１には光軸と直交する方向に倒れが生じる（図１０における矢印１００１を参照）状態とされる。
【００４９】
図１１において、カム溝１１６（１１６Ａ、１１６Ｂ）は、Ｄの範囲において、２群のＸＹ位置決め兼倒れ調整用ポール１１４および４群のＸＹ位置決め兼倒れ調整用ポール１２２との係合位置の、光軸からの距離が同様に変化するように設けられている。すなわち、カム溝１１６（１１６Ａ、１１６Ｂ）は、具体的には、たとえばカム溝１１６（１１６Ａ、１１６Ｂ）と２群のＸＹ位置決め兼倒れ調整用ポール１１４との係合位置が光軸から離間するように変化した場合は、カム溝１１６（１１６Ａ、１１６Ｂ）と４群のＸＹ位置決め兼倒れ調整用ポール１２２との係合位置が光軸から離間するように変化するような形状とされている。同様に、カム溝１１６（１１６Ａ、１１６Ｂ）は、具体的には、たとえばカム溝１１６と２群のＸＹ位置決め兼倒れ調整用ポール１１４との係合位置が光軸に近づくように変化した場合は、カム溝１１６（１１６Ａ、１１６Ｂ）と４群のＸＹ位置決め兼倒れ調整用ポール１２２との係合位置が光軸に近づくように変化するような形状とされている。
【００５０】
これにより、光軸を中心として３群レンズ保持枠１０６を回転させることによってカム溝１１６（１１６Ａ、１１６Ｂ）内を移動する、２群のＸＹ位置決め兼倒れ調整用ポール１１４および４群のＸＹ位置決め兼倒れ調整用ポール１２２がＣの範囲にある場合は、２群のＸＹ位置決め兼倒れ調整用ポール１１４および４群のＸＹ位置決め兼倒れ調整用ポール１２２は、光軸を中心とする同一円周方向に倒れが生じる。そして、これにより、２群のＸＹ位置決め兼倒れ調整用ポール１１４および４群のＸＹ位置決め兼倒れ調整用ポール１２２がＤの範囲にある場合は、２群移動レンズ保持枠１１３および４群移動レンズ保持枠１２１は、光軸を中心とする同一円周方向に倒れが生じる。
【００５１】
図１２においては、２群のＸＹ位置決め兼倒れ調整用ポール１１４および４群のＸＹ位置決め兼倒れ調整用ポール１２２が、図１１に示した位置すなわちＤの範囲にある場合のレンズ鏡筒１００を、光軸を通り当該光軸に平行な平面で切断した断面を示している。図１２に示すように、２群のＸＹ位置決め兼倒れ調整用ポール１１４および４群のＸＹ位置決め兼倒れ調整用ポール１２２がＤの範囲にある場合は、２群移動レンズ保持枠１１３および４群移動レンズ保持枠１２１には光軸と直交する方向において、同一円周方向に倒れが生じる（図１２における矢印１２０１、１２０２を参照）状態とされる。
【００５２】
図１３において、カム溝１１６（１１６Ａ、１１６Ｂ）は、Ｅの範囲において、２群のＸＹ位置決め兼倒れ調整用ポール１１４および４群のＸＹ位置決め兼倒れ調整用ポール１２２との係合位置の、光軸からの距離が相反する円周方向に変化するように設けられている。すなわち、カム溝１１６は、具体的には、たとえばカム溝１１６（１１６Ａ、１１６Ｂ）と２群のＸＹ位置決め兼倒れ調整用ポール１１４との係合位置が光軸から離間するように変化した場合は、カム溝１１６（１１６Ａ、１１６Ｂ）と４群のＸＹ位置決め兼倒れ調整用ポール１２２との係合位置が光軸に近づくように変化するような形状とされている。同様に、カム溝１１６（１１６Ａ、１１６Ｂ）は、具体的には、たとえばカム溝１１６（１１６Ａ、１１６Ｂ）と２群のＸＹ位置決め兼倒れ調整用ポール１１４との係合位置が光軸に近づくように変化した場合は、カム溝１１６（１１６Ａ、１１６Ｂ）と４群のＸＹ位置決め兼倒れ調整用ポール１２２との係合位置が光軸から離反するように変化するような形状とされている。
【００５３】
これにより、光軸を中心として３群レンズ保持枠１０６を回転させることによってカム溝１１６（１１６Ａ、１１６Ｂ）内を移動する、２群のＸＹ位置決め兼倒れ調整用ポール１１４および４群のＸＹ位置決め兼倒れ調整用ポール１２２がＣの範囲にある場合は、２群のＸＹ位置決め兼倒れ調整用ポール１１４および４群のＸＹ位置決め兼倒れ調整用ポール１２２は、光軸を中心とする相反する円周方向に倒れが生じる。そして、これにより、２群のＸＹ位置決め兼倒れ調整用ポール１１４および４群のＸＹ位置決め兼倒れ調整用ポール１２２がＤの範囲にある場合は、２群移動レンズ保持枠１１３および４群移動レンズ保持枠１２１は、光軸を中心とする相反する円周方向に倒れが生じる。
【００５４】
図１４においては、２群のＸＹ位置決め兼倒れ調整用ポール１１４および４群のＸＹ位置決め兼倒れ調整用ポール１２２が、図１３に示した位置すなわちＥの範囲にある場合のレンズ鏡筒１００を、光軸を通り当該光軸に平行な平面で切断した断面を示している。図１４に示すように、２群のＸＹ位置決め兼倒れ調整用ポール１１４および４群のＸＹ位置決め兼倒れ調整用ポール１２２がＥの範囲にある場合は、２群移動レンズ保持枠１１３および４群移動レンズ保持枠１２１には光軸と直交する方向において、相反する円周方向に倒れが生じる（図１４における矢印１４０１、１４０２を参照）状態とされる。
【００５５】
上述した実施の形態においては、２群のＸＹ位置決め兼倒れ調整用ポール１１４および４群のＸＹ位置決め兼倒れ調整用ポール１２２の倒れを調整するための部材として、３群レンズ１０５を保持する３群レンズ保持枠１０６を用いた場合について説明したが、これに限るものではない。２群のＸＹ位置決め兼倒れ調整用ポール１１４および４群のＸＹ位置決め兼倒れ調整用ポール１２２の倒れを調整するための部材（上述した実施の形態においてはカム溝１１６（１１６Ａ、１１６Ｂ）を備えた３群レンズ保持枠１０６）は、３群レンズ保持枠１０６に必ずしも一体に設けられていなくてもよい。
【００５６】
（変形例）
図１５は、この発明にかかる実施の形態のレンズ鏡筒の変形例を示す説明図である。図１５において、この発明にかかる実施の形態のレンズ鏡筒１５００は、倒れ調整筒１５０１を備えている。倒れ調整筒１５０１は、光軸を中心とする略環形状をなしている。倒れ調整筒１５０１は、光軸方向において、前鏡筒１０１と３群レンズ保持枠１０６との間に設けられている。
【００５７】
倒れ調整筒１５０１には、上述したカム溝１１６（１１６Ａ、１１６Ｂ）と同様のカム溝（符号を省略する）が設けられている。２群のＸＹ位置決め兼倒れ調整用ポール１１４は、倒れ調整筒１５０１に設けられたカム溝を光軸方向に貫通して、３群レンズ保持枠１０６に係合されている。４群のＸＹ位置決め兼倒れ調整用ポール１２２は、３群レンズ保持枠１０６を光軸方向に貫通して、倒れ調整筒１５０１に設けられたカム溝に係合されている。
【００５８】
このような構成においては、光軸を中心として倒れ調整筒１５０１を回転させ、２群のＸＹ位置決め兼倒れ調整用ポール１１４および４群のＸＹ位置決め兼倒れ調整用ポール１２２をカム溝内において移動させることによって、２群移動レンズ保持枠１１３および４群移動レンズ保持枠１２１の光軸と直交する方向における倒れを調整することができる。
【００５９】
（別の変形例）
図１６、図１７および図１８は、この発明にかかる実施の形態のレンズ鏡筒の別の変形例を示す説明図である。図１６および図１７においては、この発明にかかる実施の形態のレンズ鏡筒を、光軸を通り当該光軸に平行な平面で切断した断面を示している。図１８においては、この発明にかかる実施の形態のレンズ鏡筒を断面した一部を、光軸に平行な方向から見た状態を示している。
【００６０】
図１６、図１７および図１８において、この発明にかかる実施の形態のレンズ鏡筒１６００は、２群移動レンズ保持枠１１３および４群移動レンズ保持枠１２１の光軸と直交する方向における倒れ調整を二軸でおこなうように構成されている。なお、上述した図１〜図１４および図１５に示したレンズ鏡筒においては、２群移動レンズ保持枠１１３および４群移動レンズ保持枠１２１の光軸と直交する方向における倒れ調整を一軸でおこなうように構成されている。
【００６１】
図１６および図１７に示したレンズ鏡筒１６００においては、上述した図１〜図１４に示したレンズ鏡筒１００と比較して、２群移動レンズ保持枠１１３が２群のＸＹ位置決め兼倒れ調整用ポール１１４と係合していた丸穴が、Ｙ軸方向における２群移動レンズ保持枠１１３の位置のみを規制する長穴１６０１に変更されている。また、図１６および図１７に示したレンズ鏡筒１６００においては、上述した図１〜図１４に示したレンズ鏡筒１００と比較して、４群移動レンズ保持枠１２１が４群のＸＹ位置決め兼倒れ調整用ポール１２２と係合していた丸穴が、Ｙ軸方向における４群移動レンズ保持枠１２１の位置のみを規制する長穴１６０２に変更されている。
【００６２】
さらに、図１６および図１７に示したレンズ鏡筒１６００においては、２群移動レンズ保持枠１１３における長穴１６０１に対して、光軸を中心として９０度回転させた角度位相に、Ｘ軸方向における２群移動レンズ保持枠１１３の位置のみを規制する長穴１６０３が設けられている。
【００６３】
加えて、図１６および図１７に示したレンズ鏡筒１６００においては、４群移動レンズ保持枠１２１における長穴１６０２に対して、光軸を中心として９０度回転させた角度位相に、Ｘ軸方向における４群移動レンズ保持枠１２１の位置のみを規制する長穴１７０１が設けられている。
【００６４】
２群移動レンズ保持枠１１３に設けられたＹ軸方向における２群移動レンズ保持枠１１３の位置のみを規制する長穴１６０１には、２群のＹ軸位置決め兼倒れ調整用ポール１６１１が通されている。２群移動レンズ保持枠１１３に設けられたＸ軸方向における２群移動レンズ保持枠１１３の位置のみを規制する長穴１６０３には、２群のＸ軸位置決め兼倒れ調整用ポール１６１３が通されている。
【００６５】
このように、別の変形例として示したレンズ鏡筒１６００においては、２群のＹ軸位置決め兼倒れ調整用ポール１６１１および２群のＸ軸位置決め兼倒れ調整用ポール１６１３によって、複数の第１のガイド部材を実現することができる。
【００６６】
４群移動レンズ保持枠１２１に設けられたＹ軸方向における４群移動レンズ保持枠１２１の位置のみを規制する長穴１６０２には、４群のＹ軸位置決め兼倒れ調整用ポール１６１２が通されている。４群移動レンズ保持枠１２１に設けられたＸ軸方向における４群移動レンズ保持枠１２１の位置のみを規制する長穴１７０１には、４群のＸ軸位置決め兼倒れ調整用ポール１６１４が通されている。
【００６７】
このように、別の変形例として示したレンズ鏡筒１６００においては、４群のＹ軸位置決め兼倒れ調整用ポール１６１２および４群のＸ軸位置決め兼倒れ調整用ポール１６１４によって、複数の第１のガイド部材を実現することができる。
【００６８】
前鏡筒１０１には、Ｘ軸方向における２群移動レンズ保持枠１１３の位置のみを規制する長穴１６０３と同位相に、２群のＸ軸位置決め兼倒れ調整用ポール１６１３を、Ｘ軸方向にシフト可能とするとともに、Ｙ軸方向における位置を規制する長穴１７０２が設けられている。後鏡筒１０２には、Ｘ軸方向における４群移動レンズ保持枠１２１の位置のみを規制する長穴１７０１と同位相に、４群のＸ軸位置決め兼倒れ調整用ポール１６１４を、Ｘ軸方向にシフト可能とするとともに、Ｙ軸方向における位置を規制する長穴１７２１が設けられている。
【００６９】
１群レンズ保持枠１０９には、Ｘ軸方向における２群移動レンズ保持枠１１３の位置のみを規制する長穴１６０３と同位相に、２群のＸ軸位置決め兼倒れ調整用ポール１６１３を受けることが可能な丸穴１７２０が設けられている。マウント１１７には、Ｘ軸方向における４群移動レンズ保持枠１２１の位置のみを規制する長穴１７０１と同位相に、４群のＸ軸位置決め兼倒れ調整用ポール１６１４を受けることが可能な丸穴１７２２が設けられている。
【００７０】
３群レンズ保持枠１０６には、２群のＸ軸位置決め兼倒れ調整用ポール１６１３をＸ軸方向に振るためのカム溝１７１０が設けられている。また、３群レンズ保持枠１０６には、４群のＸ軸位置決め兼倒れ調整用ポール１６１４をＸ軸方向に振るためのカム溝１８０１が設けられている。２群のＸ軸位置決め兼倒れ調整用ポール１６１３をＸ軸方向に振るためのカム溝１７１０および４群のＸ軸位置決め兼倒れ調整用ポール１６１４をＸ軸方向に振るためのカム溝１８０１は、２群のＸ軸位置決め兼倒れ調整用ポール１６１３および４群のＸ軸位置決め兼倒れ調整用ポール１６１４のそれぞれに対応させて２箇所に設けられている。
【００７１】
また、３群レンズ保持枠１０６には、２群のＹ軸位置決め兼倒れ調整用ポール１６１１をＹ軸方向に振るためのカム溝１８０２が設けられている。また、３群レンズ保持枠１０６には、４群のＹ軸位置決め兼倒れ調整用ポール１６１２をＹ軸方向に振るためのカム溝１８０３が設けられている。
【００７２】
２群のＹ軸位置決め兼倒れ調整用ポール１６１１をＹ軸方向に振るためのカム溝１８０２および４群のＹ軸位置決め兼倒れ調整用ポール１６１２をＹ軸方向に振るためのカム溝１８０３は、２群のＹ軸位置決め兼倒れ調整用ポール１６１１および４群のＹ軸位置決め兼倒れ調整用ポール１６１２のそれぞれに対応させて２箇所に設けられている。
【００７３】
２群移動レンズ保持枠１１３は、２群の回転規制用ポール１１５に対して光軸を中心とする円の半径方向に移動することができる第３の縦溝（図示を省略する）を備えている。４群移動レンズ保持枠１２１は、４群の回転規制用ポール１２３に対して光軸を中心とする円の半径方向に移動することができる第４の縦溝（図示を省略する）を備えている。
【００７４】
図１９は、倒れ調整を二軸でおこなうように構成されたレンズ鏡筒１６００の比較例を示す説明図である。図１９においては、図１６、図１７および図１８に示した、２群移動レンズ保持枠１１３および４群移動レンズ保持枠１２１の光軸と直交する方向における倒れ調整を二軸でおこなうように構成されたレンズ鏡筒１６００の比較用として、当該倒れ調整を同一軸でおこなう場合の構成図を示している。
【００７５】
図１８に示したような構成とすることにより、図１９に示したレンズ鏡筒のように、２群移動レンズ保持枠１１３および４群移動レンズ保持枠１２１の光軸と直交する方向における倒れ調整を同一軸でおこなう場合と比較して、当該倒れ調整を、Ｘ軸方向とＹ軸方向との二軸方向においておこなうことができる。これによって、２群移動レンズ保持枠１１３および４群移動レンズ保持枠１２１の光軸と直交する方向における倒れ調整を、高い精度で調整することができる。
【００７６】
このように、この実施の形態のレンズ鏡筒１００、１５００、１６００によれば、複数のレンズ群（この実施の形態においては、２群レンズ１１２および４群レンズ１２０）の倒れ調整を一括しておこなうことができる。これによって、この実施の形態のレンズ鏡筒１６００によれば、倒れ調整工程の簡略化を図ることができる。
【００７７】
レンズ鏡筒１６００における光学性能は、隣り合うレンズ単品や群のシフト、チルト（倒れ）、レンズ間隔、面精度など様々な要因によって決定される。このため、複数のレンズ群を同時に調整することによって、上記の複数の要因を同時に調整することができるので、光学性能をより効果的に調整することができる。
【００７８】
また、この実施の形態のレンズ鏡筒１００、１５００、１６００によれば、完成品状態としてのレンズ鏡筒１００、１５００、１６００における、２群移動レンズ保持枠１１３および４群移動レンズ保持枠１２１の倒れ調整を実現することも可能となる。具体的には、たとえばこの実施の形態のレンズ鏡筒１００、１５００、１６００を用いて得られる解像を見ながら倒れ調整をおこなうことによって、完成品状態としてのレンズ鏡筒１００、１５００、１６００における、２群移動レンズ保持枠１１３および４群移動レンズ保持枠１２１の倒れ調整を実現することが可能となる。
【００７９】
この実施の形態のレンズ鏡筒１００、１５００、１６００は、光軸方向における位置が固定された３群レンズ保持枠１０６または倒れ調整筒１５０１に、２群移動レンズ保持枠１１３や４群移動レンズ保持枠１２１の移動位置をガイドするガイドポールの支持位置を光軸と直交する方向において変化させるカム溝（１１６（１１６Ａ、１１６Ｂ）、１７１０など）を備えたことをポイントの一つとしている。また、この実施の形態のレンズ鏡筒１６００は、上記のカム溝（１１６（１１６Ａ、１１６Ｂ）、１７１０、１８０１、１８０２、１８０３など）が２箇所または４箇所に設けられていることをポイントの一つとしている。
【００８０】
以上説明したように、この実施の形態は、鏡筒の一例としての前鏡筒１０１および後鏡筒１０２内において光軸方向に移動可能に設けられた複数の光学部材の一例としての２群レンズ１１２および４群レンズ１２０を含む光学系を構成する光学装置の一例としてレンズ鏡筒１００、１５００、１６００について説明した。
【００８１】
この実施の形態のレンズ鏡筒１００、１５００、１６００は、光軸方向に延在し、第１の光学部材の一例としての２群レンズ１１２の移動位置をガイドする第１のガイド部材の一例としての２群のＸＹ位置決め兼倒れ調整用ポール１１４と、２群のＸＹ位置決め兼倒れ調整用ポール１１４の一端部を光軸を中心とする円の半径方向に移動可能に支持する第１の支持手段の一例としての１群レンズ保持枠１０９と、を備える。また、この実施の形態のレンズ鏡筒１００、１５００、１６００は、光軸方向に延在し、第２の光学部材の一例としての４群レンズ１２０の移動位置をガイドする第２のガイド部材の一例としての４群のＸＹ位置決め兼倒れ調整用ポール１２２と、４群のＸＹ位置決め兼倒れ調整用ポール１２２の一端部を光軸を中心とする円の半径方向に移動可能に支持する第２の支持手段の一例としてのマウント１１７と、を備える。
【００８２】
さらに、この実施の形態のレンズ鏡筒１００、１５００、１６００は、前鏡筒１０１および後鏡筒１０２内において光軸方向における位置が固定されるとともに光軸を中心として回動可能に設けられ、２群のＸＹ位置決め兼倒れ調整用ポール１１４の一端部が挿入される第１のカム溝の一例としてのカム溝１１６（１１６Ａ）と４群のＸＹ位置決め兼倒れ調整用ポール１２２の一端部が挿入される第２のカム溝の一例としての１１６（１１６Ｂ）とが設けられた調整部材の一例としての３群レンズ保持枠１０６と、を備えている。
【００８３】
そして、この実施の形態のレンズ鏡筒１００、１５００、１６００は、カム溝１１６（１１６Ａ、１１６Ｂ）が、光軸に対する角度位置に応じて、当該光軸を中心とする円の半径方向における寸法が異なる形状からなることを特徴としている。
【００８４】
この実施の形態のレンズ鏡筒１００、１５００、１６００によれば、光軸を中心として３群レンズ保持枠１０６を回動させることによって、光軸を中心とする円の半径方向に２群のＸＹ位置決め兼倒れ調整用ポール１１４の一端部を移動させるとともに光軸を中心とする円の半径方向に４群のＸＹ位置決め兼倒れ調整用ポール１２２の一端部を移動させることができる。
【００８５】
光軸を中心とする円の半径方向に２群のＸＹ位置決め兼倒れ調整用ポール１１４の一端部を移動させることによって当該２群のＸＹ位置決め兼倒れ調整用ポール１１４を光軸と交差する方向に倒すことができ、光軸を中心とする円の半径方向に４群のＸＹ位置決め兼倒れ調整用ポール１２２の一端部を移動させることによって当該４群のＸＹ位置決め兼倒れ調整用ポール１２２を光軸と交差する方向に倒すことができる。
【００８６】
そして、２群のＸＹ位置決め兼倒れ調整用ポール１１４を光軸と交差する方向に倒すことによって２群移動レンズ保持枠１１３（すなわち２群レンズ１１２）を光軸と交差する方向に倒して光軸に対する２群レンズ１１２の傾きを調整することができ、４群のＸＹ位置決め兼倒れ調整用ポール１２２を光軸と交差する方向に倒すことによって４群移動レンズ保持枠１２１（すなわち４群レンズ１２０）を光軸と交差する方向に倒して光軸に対する４群レンズ１２０の傾きを調整することができる。
【００８７】
すなわち、この実施の形態のレンズ鏡筒１００、１５００、１６００によれば、光軸を中心として３群レンズ保持枠１０６を回動させることによって、光軸に対する２群レンズ１１２の傾き調整および光軸に対する４群レンズ１２０の傾き調整を同時におこなうことができる。これによって、光軸に対する２群レンズ１１２および４群レンズ１２０の傾き調整の作業性の向上を図ることができる。
【００８８】
また、この実施の形態のレンズ鏡筒１００、１５００、１６００は、３群レンズ保持枠１０６が、光軸方向において２群レンズ１１２と４群レンズ１２０との間に設けられ、レンズ鏡筒１００、１５００、１６００の光学系を構成する光学部材であることを特徴としている。
【００８９】
このレンズ鏡筒１００、１５００、１６００によれば、光学系を構成する光学部材である３群レンズ保持枠１０６によって調整部材を兼用することができる。これによって、部品点数の増加を抑えつつ光軸に対する２群レンズ１１２および４群レンズ１２０の傾き調整の作業性の向上を図ることができる。
【００９０】
また、この実施の形態のレンズ鏡筒１００、１５００、１６００は、２群のＸＹ位置決め兼倒れ調整用ポール１１４の他端部を支持する第１の固定部材の一例としてのレンズ保持枠１０９と、２群のＸＹ位置決め兼倒れ調整用ポール１１４の一端部の光軸を中心とする円の半径方向に交差する方向における位置を規制する第１の縦溝が設けられた第１の鏡筒部の一例としての前鏡筒１０１と、によって第１の支持手段を実現し、４群のＸＹ位置決め兼倒れ調整用ポール１２２の他端部を支持する第２の固定部の一例としてのマウント１１７と、４群のＸＹ位置決め兼倒れ調整用ポール１２２の一端部の光軸を中心とする円の半径方向に交差する方向における位置を規制する第２の縦溝が設けられた第２の鏡筒部の一例としての後鏡筒１０２と、によって第２の支持手段を実現することを特徴としている。
【００９１】
この実施の形態のレンズ鏡筒１００、１５００、１６００によれば、光軸を中心とする円の半径方向に交差する方向における２群のＸＹ位置決め兼倒れ調整用ポール１１４や４群のＸＹ位置決め兼倒れ調整用ポール１２２の位置を規制することにより、光軸に対する２群レンズ１１２および４群レンズ１２０の傾き調整精度の向上を図ることができる。
【００９２】
また、この実施の形態のレンズ鏡筒１００、１５００、１６００は、２群のＸＹ位置決め兼倒れ調整用ポール１１４が複数設けられ、それぞれの２群のＸＹ位置決め兼倒れ調整用ポール１１４が、光軸を中心とする円における半径方向のうち直交する２方向に移動可能となるように設けられていることを特徴としている。
【００９３】
この実施の形態のレンズ鏡筒１６００によれば、光軸を中心として３群レンズ保持枠１０６を回動させることによって、２群移動レンズ保持枠１１３（すなわち２群レンズ１１２）を光軸と交差する複数の方向に倒すことができる。これによって、光軸に対する２群移動レンズ保持枠１１３（すなわち２群レンズ１１２）の傾きの調整精度の向上を図ることができる。
【００９４】
また、この実施の形態のレンズ鏡筒１６００は、４群のＸＹ位置決め兼倒れ調整用ポール１２２が複数設けられ、それぞれの４群のＸＹ位置決め兼倒れ調整用ポール１２２が、光軸を中心とする円における半径方向のうち直交する２方向に移動可能となるように設けられていることを特徴としている。
【００９５】
この実施の形態のレンズ鏡筒１６００によれば、光軸を中心として３群レンズ保持枠１０６を回動させることによって、４群移動レンズ保持枠１２１（すなわち４群レンズ１２０）を光軸と交差する複数の方向に倒すことができる。これによって、光軸に対する４群移動レンズ保持枠１２１（すなわち４群レンズ１２０）の傾きの調整精度の向上を図ることができる。
【００９６】
すなわち、この実施の形態のレンズ鏡筒１６００によれば、光軸に対する２群レンズ１１２の傾き調整および光軸に対する４群レンズ１２０の傾き調整を、それぞれ独立におこなうことができる。これによって、傾き調整が必要な部分ごとに最適な傾き調整をおこなうことができるので、部品点数の増加を抑えつつ光軸に対する２群レンズ１１２および４群レンズ１２０の傾き調整の作業性の向上を図るとともに、傾き調整精度の向上を図ることができる。
【００９７】
また、この実施の形態のレンズ鏡筒１００、１５００、１６００によれば、レンズ鏡筒１００、１５００、１６００が完成した状態で、光軸に対する２群レンズ１１２および４群レンズ１２０の傾き調整をおこなうことができる。これによって、全体のバランスを考慮しつつ光軸に対する２群レンズ１１２および４群レンズ１２０の傾き調整をおこなうことができるので、レンズ鏡筒１００、１５００、１６００における光学性能の向上を図ることができる。
【産業上の利用可能性】
【００９８】
以上のように、本発明にかかる光学装置および撮像装置は、光軸に傾きの調整が必要な光学部材を光学装置および当該光学装置を備えた撮像装置に有用であり、特に、光軸に傾きの調整が必要な光学部材を複数備えた光学装置および当該光学装置を備えた撮像装置に適している。
【符号の説明】
【００９９】
１００  レンズ鏡筒
１０１  前鏡筒
１０２  後鏡筒
１０６  ３群レンズ保持枠
１１２  ２群レンズ
１１３  ２群移動レンズ保持枠
１１４  ２群のＸＹ位置決め兼倒れ調整用ポール
１２０  ４群レンズ
１２１  ４群移動レンズ保持枠
１２２  ４群のＸＹ位置決め兼倒れ調整用ポール
１５００  レンズ鏡筒
１６００  レンズ鏡筒
１６１１  ２群のＹ軸位置決め兼倒れ調整用ポール
１６１３  ２群のＸ軸位置決め兼倒れ調整用ポール
１６１２  ４群のＹ軸位置決め兼倒れ調整用ポール
１６１４  ４群のＸ軸位置決め兼倒れ調整用ポール
【図１】
2010282150.tif 000003
【図２】
2010282150.tif 000004
【図３】
2010282150.tif 000005
【図４】
2010282150.tif 000006
【図５】
2010282150.tif 000007
【図６】
2010282150.tif 000008
【図７】
2010282150.tif 000009
【図８】
2010282150.tif 000010
【図９】
2010282150.tif 000011
【図１０】
2010282150.tif 000012
【図１１】
2010282150.tif 000013
【図１２】
2010282150.tif 000014
【図１３】
2010282150.tif 000015
【図１４】
2010282150.tif 000016
【図１５】
2010282150.tif 000017
【図１６】
2010282150.tif 000018
【図１７】
2010282150.tif 000019
【図１８】
2010282150.tif 000020
【図１９】
2010282150.tif 000021